【手続補正書】
【提出日】平成28年7月27日(2016.7.27)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
１つまたは複数のプロセッサまたは回路が、前記ビデオデータの現在のブロックに対する視差ベクトルを導出するために、視差ベクトル導出プロセスを実行すること、ここで、前記視差ベクトル導出プロセスを実行することは、
第１または第２の空間的隣接ブロックのいずれかが視差動きベクトルまたは暗黙的視差ベクトルを有している場合に、前記１つまたは複数のプロセッサまたは回路が、前記視差動きベクトルまたは前記暗黙的視差ベクトルを前記現在のブロックに対する前記視差ベクトルに変換することを備え、
前記視差ベクトル導出プロセスは、前記第１または前記第２の空間的隣接ブロックのいずれもが視差動きベクトルまたは暗黙的視差ベクトルを有していない場合であっても、前記第１および第２の空間的隣接ブロックに加えていずれかの空間的隣接ブロックが視差動きベクトルまたは暗黙的視差ベクトルを有しているかどうかを決定しない、と、
前記１つまたは複数のプロセッサまたは回路が、前記現在のブロックに対するサンプルブロックを、一部は、前記導出された視差ベクトルに基づいて前記現在のブロックに対するビュー間動き予測を実行することによって再構成することと、を備え、
前記現在のブロックは第１のビュー内にあり、ビュー間動き予測を実行することは、
前記１つまたは複数のプロセッサまたは回路が、前記第１のビューとは異なる第２のビュー内の対応ブロックを前記導出された視差ベクトルに基づいて識別することと、
前記１つまたは複数のプロセッサまたは回路が、前記対応ブロックの動きベクトルをリストの候補として使用することを備え、
前記リストは、前記現在のブロックに対するマージリストおよび前記現在のブロックに対する高度動きベクトル予測（ＡＭＶＰ）候補リストから成るグループ内にある、
方法。
【請求項２】
前記第１の空間的隣接ブロックは、前記現在のブロックの上縁に隣接し、前記第２の空間的隣接ブロックは、前記現在のブロックの左縁に隣接する請求項１に記載の方法。
【請求項３】
前記視差ベクトル導出プロセスを実行することは、前記１つまたは複数のプロセッサまたは回路が、視差動きベクトルについて前記第１の空間的隣接ブロックをチェックすることと、次いで、視差動きベクトルについて前記第２の空間的隣接ブロックをチェックすることと、を備える請求項２に記載の方法。
【請求項４】
前記視差ベクトル導出プロセスを実行することは、前記１つまたは複数のプロセッサまたは回路が、視差動きベクトルについて前記第２の空間的隣接ブロックをチェックすることと、次いで、視差動きベクトルについて前記第１の空間的隣接ブロックをチェックすることと、を備える請求項２に記載の方法。
【請求項５】
ビデオデータを符号化する方法であって、
１つまたは複数のプロセッサまたは回路が、前記ビデオデータの現在のブロックに対する視差ベクトルを導出するために、視差ベクトル導出プロセスを実行すること、ここで、前記視差ベクトル導出プロセスを実行することは、
第１または第２の空間的隣接ブロックのいずれかが視差動きベクトルまたは暗黙的視差ベクトルを有している場合に、前記視差動きベクトルまたは前記暗黙的視差ベクトルを前記現在のブロックに対する前記視差ベクトルに変換することを備え、
前記視差ベクトル導出プロセスは、前記第１または前記第２の空間的隣接ブロックのいずれもが視差動きベクトルまたは暗黙的視差ベクトルを有していない場合であっても、前記第１および第２の空間的隣接ブロックに加えていずれかの空間的隣接ブロックが視差動きベクトルまたは暗黙的視差ベクトルを有しているかどうかを決定しない、と、
前記１つまたは複数のプロセッサまたは回路が、前記現在のブロックに対して前記導出された視差ベクトルに一部基づいて、前記現在のブロックの符号化された表現を生成することと、を備え、
前記現在のブロックは第１のビュー内にあり、前記現在のブロックの前記符号化された表現を生成することは、ビュー間動き予測を実行することを備え、
ビュー間動き予測を実行することは、
前記１つまたは複数のプロセッサまたは回路が、前記第１のビューとは異なる第２のビュー内の対応ブロックを前記導出された視差ベクトルに基づいて識別することと、
前記１つまたは複数のプロセッサまたは回路が、前記対応ブロックの動きベクトルをリストの候補として使用することを備え、
前記リストは、前記現在のブロックに対するマージリストおよび前記現在のブロックに対する高度動きベクトル予測（ＡＭＶＰ）候補リストから成るグループ内にある、
方法。
【請求項６】
前記第１の空間的隣接ブロックは、前記現在のブロックの上縁に隣接し、前記第２の空間的隣接ブロックは、前記現在のブロックの左縁に隣接する請求項５に記載の方法。
【請求項７】
前記視差ベクトル導出プロセスを実行することは、前記１つまたは複数のプロセッサまたは回路が、視差動きベクトルについて前記第１の空間的隣接ブロックをチェックすることと、次いで、視差動きベクトルについて前記第２の空間的隣接ブロックをチェックすることと、を備える請求項６に記載の方法。
【請求項８】
前記視差ベクトル導出プロセスを実行することは、前記１つまたは複数のプロセッサまたは回路が、視差動きベクトルについて前記第２の空間的隣接ブロックをチェックすることと、次いで、視差動きベクトルについて前記第１の空間的隣接ブロックをチェックすることと、を備える請求項６に記載の方法。
【請求項９】
ビデオデータを符号化または復号するデバイスであって、
前記ビデオデータを記憶するように構成されたメモリと、
１つまたは複数のプロセッサを備え、前記１つまたは複数のプロセッサは、
前記ビデオデータの現在のブロックに対する視差ベクトルを導出するために、視差ベクトル導出プロセスを実行すること、ここで、前記視差ベクトル導出プロセスを実行することは、
第１または第２の空間的隣接ブロックのいずれかが視差動きベクトルまたは暗黙的視差ベクトルを有している場合に、前記視差動きベクトルまたは前記暗黙的視差ベクトルを前記現在のブロックに対する前記視差ベクトルに変換することを備え、
前記視差ベクトル導出プロセスは、前記第１または前記第２の空間的隣接ブロックのいずれもが視差動きベクトルまたは暗黙的視差ベクトルを有していない場合であっても、前記第１および第２の空間的隣接ブロックに加えていずれかの空間的隣接ブロックが視差動きベクトルまたは暗黙的視差ベクトルを有しているかどうかを決定しない、と、
前記現在のブロックに対するサンプルブロックを、一部は、前記導出された視差ベクトルに基づいて前記現在のブロックに対するビュー間動き予測を実行することによって再構成すること、または、
前記現在のブロックの符号化された表現を、一部は、前記導出された視差ベクトルに一部基づいて前記現在のブロックに対するビュー間動き予測を実行することによって生成すること、のうちの１つを実行することと、
を行うように構成され、
前記現在のブロックは第１のビュー内にあり、前記１つまたは複数のプロセッサは、前記現在のブロックに対するビュー間動き予測を実行することの一部として、前記１つまたは複数のプロセッサが、
前記第１のビューとは異なる第２のビュー内の対応ブロックを前記導出された視差ベクトルに基づいて識別し、
前記対応ブロックの動きベクトルをリストの候補として使用するように構成され、
前記リストは、前記現在のブロックに対するマージリストおよび前記現在のブロックに対する高度動きベクトル予測（ＡＭＶＰ）候補リストから成るグループ内にある、
デバイス。
【請求項１０】
前記第１の空間的隣接ブロックは、前記現在のブロックの上縁に隣接し、前記第２の空間的隣接ブロックは、前記現在のブロックの左縁に隣接する請求項９に記載のデバイス。
【請求項１１】
前記１つまたは複数のプロセッサは、前記１つまたは複数のプロセッサが前記視差ベクトル導出プロセスを実行したときに、前記１つまたは複数のプロセッサが視差動きベクトルについて前記第１の空間的隣接ブロックをチェックし、次いで視差動きベクトルについて前記第２の空間的隣接ブロックをチェックするように構成される請求項１０に記載のデバイス。
【請求項１２】
前記１つまたは複数のプロセッサは、前記１つまたは複数のプロセッサが前記視差ベクトル導出プロセスを実行したときに、前記１つまたは複数のプロセッサが視差動きベクトルについて前記第２の空間的隣接ブロックをチェックし、次いで視差動きベクトルについて前記第１の空間的隣接ブロックをチェックするように構成される請求項１０に記載のデバイス。
【請求項１３】
ビデオデータを符号化または復号するデバイスであって、
前記ビデオデータの現在のブロックに対する視差ベクトルを導出するために、視差ベクトル導出プロセスを実行する手段、ここで、前記視差ベクトル導出プロセスを実行することは、
第１または第２の空間的隣接ブロックのいずれかが視差動きベクトルまたは暗黙的視差ベクトルを有している場合に、前記視差動きベクトルまたは前記暗黙的視差ベクトルを前記現在のブロックに対する前記視差ベクトルに変換することを備え、
前記視差ベクトル導出プロセスは、前記第１または前記第２の空間的隣接ブロックのいずれもが視差動きベクトルまたは暗黙的視差ベクトルを有していない場合であっても、前記第１および第２の空間的隣接ブロックに加えていずれかの空間的隣接ブロックが視差動きベクトルまたは暗黙的視差ベクトルを有しているかどうかを決定しない、と、
ビュー間動き予測を実行するために、前記現在のブロックに対する前記視差ベクトルを使用する手段と、
前記現在のブロックに対するサンプルブロックを、一部は、前記導出された視差ベクトルに基づいて前記現在のブロックに対するビュー間動き予測を実行することによって再構成する手段、または、
前記現在のブロックの符号化された表現を、一部は、前記導出された視差ベクトルに一部基づいて前記現在のブロックに対するビュー間動き予測を実行することによって生成する手段のうちの１つの手段と、
を備え、
前記現在のブロックは第１のビュー内にあり、前記サンプルブロックを再構成する前記手段または前記現在のブロックの前記符号化された表現を生成する前記手段は、
前記第１のビューとは異なる第２のビュー内の対応ブロックを前記導出された視差ベクトルに基づいて識別する手段と、
前記対応ブロックの動きベクトルをリストの候補として使用する手段と、
を備え、前記リストは、前記現在のブロックに対するマージリストおよび前記現在のブロックに対する高度動きベクトル予測（ＡＭＶＰ）候補リストから成るグループ内にある、
デバイス。
【請求項１４】
前記第１の空間的隣接ブロックは、前記現在のブロックの上縁に隣接し、前記第２の空間的隣接ブロックは、前記現在のブロックの左縁に隣接する請求項１３に記載のデバイス。
【請求項１５】
命令が記憶されている非一時的コンピュータ可読データ記憶媒体であって、前記命令は実行されたときに、１つまたは複数のプロセッサに、
現在のブロックに対する視差ベクトルを導出するために、視差ベクトル導出プロセスを実行すること、ここで、前記視差ベクトル導出プロセスを実行することは、
第１または第２の空間的隣接ブロックのいずれかが視差動きベクトルまたは暗黙的視差ベクトルを有している場合に、前記視差動きベクトルまたは前記暗黙的視差ベクトルを前記現在のブロックに対する前記視差ベクトルに変換することを備え、
前記視差ベクトル導出プロセスは、前記第１または前記第２の空間的隣接ブロックのいずれもが視差動きベクトルまたは暗黙的視差ベクトルを有していない場合であっても、前記第１および第２の空間的隣接ブロックに加えていずれかの空間的隣接ブロックが視差動きベクトルまたは暗黙的視差ベクトルを有しているかどうかを決定しない、と、
前記現在のブロックに対するサンプルブロックを、一部は、前記導出された視差ベクトルに基づいて前記現在のブロックに対するビュー間動き予測を実行することによって再構成すること、または、
前記現在のブロックの符号化された表現を、一部は、前記導出された視差ベクトルに一部基づいて前記現在のブロックに対するビュー間動き予測を実行することによって生成することのうちの１つを実行することと、
を行わせ、
前記現在のブロックは第１のビュー内にあり、前記１つまたは複数のプロセッサは、前記現在のブロックに対するビュー間動き予測を実行することの一部として、前記１つまたは複数のプロセッサが、
前記第１のビューとは異なる第２のビュー内の対応ブロックを前記導出された視差ベクトルに基づいて識別し、
前記対応ブロックの動きベクトルをリストの候補として使用するように構成され、
前記リストは、前記現在のブロックに対するマージリストおよび前記現在のブロックに対する高度動きベクトル予測（ＡＭＶＰ）候補リストから成るグループ内にある、
非一時的コンピュータ可読データ記憶媒体。
【請求項１６】
前記第１の空間的隣接ブロックは、前記現在のブロックの上縁に隣接し、前記第２の空間的隣接ブロックは、前記現在のブロックの左縁に隣接する請求項１５に記載の非一時的コンピュータ可読データ記憶媒体。
【請求項１７】
前記デバイスは、
集積回路、
マイクロプロセッサ、または
ワイヤレス通信デバイス
のうちの少なくとも１つを備える、請求項９に記載のデバイス。
【請求項１８】
復号されたビデオデータを表示するように構成されたディスプレイをさらに備える、請求項９に記載のデバイス。
【請求項１９】
前記ビデオデータをキャプチャするように構成されたカメラをさらに備える、請求項９に記載のデバイス。